(57)【要約】【目的】接着剤等を用いることなく簡単に組み立てることができ、しかも、容器を確実に保持することが可能な包装用容器を提供すること。【構成】本考案は、４枚の側板が折り曲げ線を介在させて順次連設され、底板と天板を有する紙製包装用容器において、一方端部に存する側板４０に、折り曲げ線を介して連結板５０を連設し、当該連結板５０に折り曲げ線を介して、凹溝８１を有する首部支持板８０と孔部を有する胴部支持板９０を連設し、側板４０に隣接する側板３０の一方端に、折り曲げ線を介して天板６０を連設し、該天板６０に折り曲げ線を介して仕切り版６１を連設し、側板４０に隣接する側板３０の他方端に、折り曲げ線を介して底板７０を連設し、該底板７０に折り曲げ線を介して仕切り版７１を連設して構成した。【選択図】図１
0003210144.tif 000002
【実用新案登録請求の範囲】
【請求項１】
４枚の側板が折り曲げ線を介在させて順次連設され、底板と天板を有する紙製包装用容器において、
一方端部に存する側板（４０）に、折り曲げ線を介して連結板（５０）を連設し、当該連結板（５０）に折り曲げ線を介して、凹溝（８１）を有する首部支持板（８０）と孔部を有する胴部支持板（９０）を連設し、
側板（４０）に隣接する側板（３０）の一方端に、折り曲げ線を介して天板（６０）を連設し、該天板（６０）に折り曲げ線を介して仕切り版（６１）を連設し、側板（４０）に隣接する側板（３０）の他方端に、折り曲げ線を介して底板（７０）を連設し、該底板（７０）に折り曲げ線を介して仕切り版（７１）を連設したことを特徴とする紙製包装用容器。
【請求項２】
首部支持板（８０）の端部に設けた舌片（８２）を側板（３０）に設けた差込孔（３１）に嵌め込み、首部支持板（８０）の他の端部に設けた舌片（８３）を仕切り板（６１）に設けた差込孔（６３）に嵌め込み、
胴部支持板（９０）の端部に設けた舌片（９２）を側板（３０）に設けた差込孔（３１）に嵌め込み、胴部支持板（９０）の他の端部に設けた舌片（９３）を仕切り板（７１）に設けた差込孔（７３）に嵌め込んだことを特徴とする請求項１に記載の紙製包装用容器
【考案の詳細な説明】
【技術分野】
【０００１】
本考案は、ダンボール等の紙板を材料とし、瓶等の容器を収納する包装用容器に関する。  
【背景技術】
【０００２】
従来より、遮光性と強度の確保を目的として、ビニール製の袋ではなく、ダンボール等の紙板で瓶等の容器を収納する紙製の包装用容器がある。
【０００３】
この種の包装用容器において、１枚の紙板を複数の側板、仕切板、接着板等に分け、各接着板を各側板や仕切板に接着させて組み立てることにより、瓶等の容器を収納する包装用容器が知られている（例えば、特許文献１参照）。
【先行技術文献】
【特許文献】
【０００４】
【特許文献１】実開平７−３７９２１号公報
【考案の概要】
【考案が解決しようとする課題】
【０００５】
しかしながら、上記のような従来の包装用容器では、組み立てる際に接着剤を塗布する必要があるため、組立作業が容易でないという問題があった。
【０００６】
本考案は、上述した問題点を解決するためになされたものであり、接着剤等を用いることなく簡単に組み立てることができ、しかも、容器を確実に保持することが可能な包装用容器を提供することを目的とする。
【課題を解決するための手段】
【０００７】
上記の目的を達成する本考案の構成は次の通りである。
【０００８】
（１）  請求項１に記載の考案は、４枚の側板が折り曲げ線を介在させて順次連設され、底板と天板を有する紙製包装用容器において、一方端部に存する側板４０に、折り曲げ線を介して連結板５０を連設し、当該連結板５０に折り曲げ線を介して、凹溝８１を有する首部支持板８０と孔部を有する胴部支持板９０を連設し、側板４０に隣接する側板３０の一方端に、折り曲げ線を介して天板６０を連設し、該天板６０に折り曲げ線を介して仕切り版６１を連設し、側板４０に隣接する側板３０の他方端に、折り曲げ線を介して底板７０を連設し、該底板７０に折り曲げ線を介して仕切り版７１を連設して構成した。
【０００９】
（２）  請求項２に記載の考案は、請求項１に記載の紙製包装用容器において、首部支持板８０の端部に設けた舌片８２を側板３０に設けた差込孔３１に嵌め込み、首部支持板８０の他の端部に設けた舌片８３を仕切り板６１に設けた差込孔６３に嵌め込み、胴部支持板９０の端部に設けた舌片９２を側板３０に設けた差込孔３１に嵌め込み、胴部支持板９０の他の端部に設けた舌片９３を仕切り板７１に設けた差込孔７３に嵌め込んで構成した。
【考案の効果】
【００１０】
上記のように構成される本考案が、如何に作用して課題を解決するかを図面を参照しながら概説する。
【００１１】
本考案にかかる包装用容器１は、図１や図２に示すように、側板３０と仕切り板６１が連設され、底板７０と仕切り板７１が連設されている。また、収容される瓶類の首部を支持する首部支持板８０や胴部を支持する胴部支持板９０も連結板５０を介して側板４０と連設されている。かように本考案によればその構成部材が全て一体となっており、組み立てる際に接着剤を塗布する必要性が無く、したがって組み立て時間の短縮にも繋がるものである。
【００１２】
また構成要素が少なくて済み、省資源やコストの削減にも資するものである。
【００１３】
更には、首部支持板８０や胴部支持板９０で、収容される瓶類を固定することにより、収容される瓶等の容器を確実に保持することが可能となる。また、瓶類が側板に接触することなく収容できるので、外部からの衝撃が収容された瓶類に直接伝わらず、保護性が高いという効果も有する。
【図面の簡単な説明】
【００１４】
【図１】本考案の展開図
【図２】組立工程を示す説明図
【考案を実施するための形態】
【００１５】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１６】
本実施形態の包装用容器１は、容器の一種であるガラス瓶、特にワイン瓶や清酒瓶などの包装に用いられるものであり、１枚のダンボール紙（紙板）を所定の折り曲げ線に沿って折り曲げて組み立てることにより包装するものである。
【００１７】
図１に示すように、本考案にかかる包装用容器は、側板１０，２０，３０，４０が折り曲げ線１０１，１０２，１０３を介在させて順次連設されている。
【００１８】
側板１０の両端には、それぞれ差込片１１が、折り曲げ線１０４を介在させて連設されている。
【００１９】
側板３０の一方端には、天板６０が、折り曲げ線１０５を介在させて連設されている。側板３０の他方端には、底板７０が、折り曲げ線１０６を介在させて連設されている。
【００２０】
側板３０の、図１における左右端近傍には、それぞれ差込孔３１が設けられている。上端には差込孔３２が設けられている。
【００２１】
天板６０の、図１における下端側には、仕切り板６１が折り曲げ線１０７を介在させて連設されている。天板６０の、図１における上端側には、差込片６２が折り曲げ線１０８を介在させて連設されている。仕切り版６１の中央部には差込孔６３が設けられている。
【００２２】
底板７０の、図１における下端側には、仕切り板７１が折り曲げ線１０９を介在させて連設されている。底板７０の、図１における上端側には、差込片７２が折り曲げ線１１０を介在させて連設されている。仕切り版７１の中央部には差込孔７３が設けられている。
【００２３】
側板４０の、図１における上端は、二本の折り曲げ線１１１、１１２を介在させて連結板５０と連設されている。この連結板５０の左端は折り曲げ線１１３を介在させて首部支持板８０と連設されており、右端は折り曲げ線１１４を介在させて胴部支持板９０と連設されている。また、連結板５０の上端には舌片５１が設けられている。
【００２４】
首部支持板８０には、図１における下方に開放された凹溝８１が設けられている。この凹溝８１には、収容される瓶の首部が装入されるものである。また、首部支持板８１の上端にには舌片８２が、左端には舌片８３が設けられている。
【００２５】
胴部支持板９０の、図１に示される中央部には円形の孔部９１が設けられている。この孔部９１には収容される瓶の胴部が装入されるものである。胴部支持板９０の上端には舌片９２が、右端には舌片９３が設けられている。
【００２６】
本考案の組み立て方法を、以下、図１及び図２を参照しながら概説する。
【００２７】
側板１０，２０，３０，４０を折り曲げ線１０１，１０２，１０３で折り曲げることで立体形状を形成する。
【００２８】
図２は側板２０が下面に来る状態を示しており、側板３０から垂直方向に立ち上がった側板４０の端縁に存する折り曲げ線１１１で、側板３０と水平になる方向に９０度折り曲げ、更に折り曲げ線１１２で９０度下方向に折り曲げ、連結板５０を収納部２内に折り曲げ、舌片５１を側板３０の差込孔３２に嵌め込む。かかる状態で折り曲げ線１１３，１１４で９０度折り曲げ、更に舌片８２，９２をそれぞれ差込孔３１，３１に嵌め込むことで、首部支持板８０及び胴部支持板９０が包装用容器１の収容部内に装備されることになる。
【００２９】
この首部支持板８０の凹溝８１には、包装用容器１の収納部２内に収容される、例えばワイン瓶の首部が嵌め込まれ、胴部支持板９０の孔部９１にはワイン瓶の胴部下方が挿入されることで、収容物が安定して包装用容器１内に収容されるものである。
【００３０】
側板３０の端縁に存する折り曲げ線１０５で、図２における上方に９０度折り曲げることで天板６０が立ち上がる。天板６０の端縁に存する折り曲げ線１０８で９０度折り曲げ、次いで差込片６２を、側板４０よりも収納部２側に差し込むものである。また、折り曲げ線１０７で９０度折り曲げることで、仕切り板６１を収納部２に出現させる。この際差込孔６３には舌片８３が嵌め込まれ、首部支持板８０を固定するものである。
【００３１】
側板３０の端縁に存する折り曲げ線１０６で、図２における上方に９０度折り曲げることで底板７０が立ち上がる。底板７０の端縁に存する折り曲げ線１１０で９０度折り曲げ、次いで差込片７２を、側板４０よりも収納部２側に差し込むものである。また、折り曲げ線１０９で９０度折り曲げることで、仕切り板７１を収納部２に出現させる。この際差込孔７３には舌片９３が嵌め込まれ、胴部支持板９０が固定されるものである。
【００３２】
側板１０の両端縁に存する折り曲げ線１０４，１０４で９０度折り曲げることで立ち上がる差込片１１，１１を、それぞれ収納部２内に差し込まることで、包装用容器１が完成するものである。
【符号の説明】
【００３３】
１０・・側板
１１・・差込片
２０・・側板
３０・・側板
３１・・差込孔
３２・・差込孔
４０・・側板
５０・・連結板
５１・・舌片
６０・・天板
６１・・仕切り版
６２・・差込片
６３・・差込孔
７０・・底板
７１・・仕切り版
７２・・差込片
７３・・差込孔
８０・・首部支持板
８１・・凹溝
８２・・舌片
８３・・舌片
９０・・胴部支持板
９１・・孔部
９２・・舌片
９３・・舌片
１０１・・折り曲げ線
１０２・・折り曲げ線
１０３・・折り曲げ線
１０４・・折り曲げ線
１０５・・折り曲げ線
１０６・・折り曲げ線
１０７・・折り曲げ線
１０８・・折り曲げ線
１０９・・折り曲げ線
１１０・・折り曲げ線
１１１・・折り曲げ線
１１２・・折り曲げ線
１１３・・折り曲げ線
１１４・・折り曲げ線
【図１】
0003210144.tif 000003
【図２】
0003210144.tif 000004